(57)【特許請求の範囲】
【請求項１】
パーソナルコンピュータ向けに作成されたＷｅｂサイトを閲覧するためのブラウザ部と、前記Ｗｅｂサイトに含まれる動画コンテンツを再生する動画再生部と、前記Ｗｅｂサイトの一部又は全部を表示する表示部と、前記表示部に表示された前記Ｗｅｂサイト上の位置の特定を受け付ける入力部とを具備し、
前記ブラウザ部は、前記Ｗｅｂサイトにおける前記動画コンテンツの表示領域を判定する表示領域判定部と、前記入力部により特定される前記Ｗｅｂサイト上の位置を検出する位置検出部と、前記Ｗｅｂサイト上の指示位置が前記動画コンテンツの表示領域上に配置されるか判定する位置判定部とを有し、前記Ｗｅｂサイトにおける前記動画コンテンツの表示領域と、前記入力部により特定される前記Ｗｅｂサイト上の位置とに応じて前記動画再生部による前記動画コンテンツの再生を制御する携帯電話機であって、
前記ブラウザ部は、前記入力部により特定される前記Ｗｅｂサイト上の位置が前記動画コンテンツの表示領域上に配置される場合に前記動画コンテンツを再生させる一方、前記入力部により特定される前記Ｗｅｂサイト上の位置が前記動画コンテンツの表示領域外に配置される場合に前記動画コンテンツの再生を制限し、前記動画再生部により前記動画コンテンツを再生した後、前記動画コンテンツの表示領域が前記表示部に表示される前記Ｗｅｂサイト上に表示されなくなった場合に当該動画コンテンツの再生を停止させることを特徴とする携帯電話機。
【請求項２】
前記ブラウザ部は、前記動画再生部による前記動画コンテンツの再生を制限した場合、当該動画コンテンツの最初の静止画像を前記動画再生部に表示させることを特徴とする請求項１記載の携帯電話機。
【請求項３】
前記ブラウザ部は、前記入力部により特定される前記Ｗｅｂサイト上の位置が前記動画コンテンツの表示領域上に配置されることで前記動画再生部により前記動画コンテンツを再生させた後、前記入力部により特定される前記Ｗｅｂサイト上の位置が前記動画コンテンツの表示領域外に移動した場合でも当該動画コンテンツの再生を継続させることを特徴とする請求項１又は請求項２記載の携帯電話機。
【請求項４】
前記ブラウザ部は、再生が停止された前記動画コンテンツの表示領域が前記表示部に表示される前記Ｗｅｂサイト上に表示された場合に前記動画コンテンツの再生を再開させることを特徴とする請求項１から請求項３のいずれかに記載の携帯電話機。
【請求項５】
前記ブラウザ部は、再生が停止された位置から前記動画コンテンツの再生を再開させることを特徴とする請求項４記載の携帯電話機。
【請求項６】
前記ブラウザ部は、前記入力部により特定される前記Ｗｅｂサイト上の位置が、複数の前記動画コンテンツの表示領域間を移動した場合、前記動画再生部により再生させる前記動画コンテンツを切り替えることを特徴とする請求項１から請求項５のいずれかに記載の携帯電話機。
【請求項７】
パーソナルコンピュータ向けに作成されたＷｅｂサイトを閲覧可能な携帯電話機を用いた動画再生制御方法であって、
前記Ｗｅｂサイトにおける前記動画コンテンツの表示領域を判定するステップと、入力部により特定される前記Ｗｅｂサイト上の位置を検出するステップと、前記Ｗｅｂサイト上の位置が前記動画コンテンツの表示領域上に配置されるか判定するステップと、前記Ｗｅｂサイト上の位置に応じて前記動画コンテンツの再生を制御するステップとを具備し、
前記入力部により特定される前記Ｗｅｂサイト上の位置が前記動画コンテンツの表示領域上に配置される場合に前記動画コンテンツを再生させる一方、前記入力部により特定される前記Ｗｅｂサイト上の位置が前記動画コンテンツの表示領域外に配置される場合に前記動画コンテンツの再生を制限し、前記動画コンテンツを再生した後、前記動画コンテンツの表示領域が表示部に表示される前記Ｗｅｂサイト上に表示されなくなった場合に当該動画コンテンツの再生を停止させることを特徴とする動画再生制御方法。
【発明の詳細な説明】
【技術分野】
【０００１】
本発明は、携帯電話機及びこれを用いた動画再生制御方法に関し、特に、パーソナルコンピュータ（ＰＣ）向けに作成されたＷｅｂサイトを閲覧可能な携帯電話機及びこれを用いた動画再生制御方法に関する。
【背景技術】
【０００２】
近年、パーソナルコンピュータ（ＰＣ）向けに作成されたＷｅｂサイト（ＰＣ向けＷｅｂサイト）を閲覧可能とするブラウザ機能を備えた携帯電話機が普及している（例えば、特許文献１参照）。このようなブラウザ機能を備える携帯電話機においては、ＰＣと比べて大幅に機能及び性能が制限される環境下においても、装置に実装されたＪａｖａ（登録商標）プログラム実行機能などを利用することで、ＰＣ向けＷｅｂサイトの表示を可能としている。
【特許文献１】特開２００７−２１３５３７号公報
【発明の開示】
【発明が解決しようとする課題】
【０００３】
しかしながら、上述したようなブラウザ機能を有する携帯電話機においては、搭載するメモリの容量がＰＣと比べて低いため、その表示内容を間引きして簡素化するなどしてその操作性を確保している。特に、ＰＣ向けＷｅｂサイトに動画コンテンツが含まれる場合においては、その再生に伴ってメモリの容量が不足し、その動作が不安定になる事態が発生し得る。これは、特に、ＰＣ向けＷｅｂサイトに複数の動画コンテンツが含まれる場合に顕著となる。このため、このような携帯電話機においては、一定条件の下、ＰＣ向けＷｅｂサイトに含まれる動画コンテンツの再生を制限している。従って、ＰＣ向けＷｅｂサイトに含まれる動画コンテンツを視聴することができないという問題がある。
【０００４】
本発明は、このような実情に鑑みて為されたものであり、装置の動作を不安定にさせることなく、ＰＣ向けＷｅｂサイトに含まれる動画コンテンツを再生することができる携帯電話機及びこれを用いた動画再生制御方法を提供することを目的とする。
【課題を解決するための手段】
【０００５】
本発明の携帯電話機は、パーソナルコンピュータ向けに作成されたＷｅｂサイトを閲覧するためのブラウザ部と、前記Ｗｅｂサイトに含まれる動画コンテンツを再生する動画再生部と、前記Ｗｅｂサイトの一部又は全部を表示する表示部と、前記表示部に表示された前記Ｗｅｂサイト上の位置の特定を受け付ける入力部とを具備し、前記ブラウザ部は、前記Ｗｅｂサイトにおける前記動画コンテンツの表示領域を判定する表示領域判定部と、前記入力部により特定される前記Ｗｅｂサイト上の位置を検出する位置検出部と、前記Ｗｅｂサイト上の指示位置が前記動画コンテンツの表示領域上に配置されるか判定する位置判定部とを有し、前記Ｗｅｂサイトにおける前記動画コンテンツの表示領域と、前記入力部により特定される前記Ｗｅｂサイト上の位置とに応じて前記動画再生部による前記動画コンテンツの再生を制御する携帯電話機であって、前記ブラウザ部は、前記入力部により特定される前記Ｗｅｂサイト上の位置が前記動画コンテンツの表示領域上に配置される場合に前記動画コンテンツを再生させる一方、前記入力部により特定される前記Ｗｅｂサイト上の位置が前記動画コンテンツの表示領域外に配置される場合に前記動画コンテンツの再生を制限し、前記動画再生部により前記動画コンテンツを再生した後、前記動画コンテンツの表示領域が前記表示部に表示される前記Ｗｅｂサイト上に表示されなくなった場合に当該動画コンテンツの再生を停止させることを特徴とする。
【０００６】
この構成によれば、入力部を介してユーザの意図を反映して動画コンテンツの再生が制御されることから、ユーザの意図に無関係に動画コンテンツが再生される事態を防止できるので、装置の動作を不安定にさせることなく、ＰＣ向けＷｅｂサイトに含まれる動画コンテンツを再生することが可能となる。また、入力部により特定されるＷｅｂサイト上の位置が動画コンテンツの表示領域上に配置されるか否かに基づいて動画コンテンツの再生を制御することが可能となる。また、入力部により特定されるＷｅｂサイト上の位置が動画コンテンツの表示領域上に配置されるか否かに基づいて動画コンテンツの再生を再開し、或いは、その再生を制限することができるので、入力部を介したユーザの意図に応じて動画コンテンツの再生を制御することが可能となる。さらに、動画コンテンツの再生後、当該動画コンテンツが表示部に表示されるＷｅｂサイト上に表示されなくなった場合にはその再生を停止することができるので、表示部に表示されるＷｅｂサイト上に動画コンテンツが表示されなくなった場合にまで当該動画コンテンツを再生して限られた装置のメモリ資源が使用される事態を防止することが可能となる。
【０００９】
また、本発明の携帯電話機において、前記ブラウザ部は、前記動画再生部による前記動画コンテンツの再生を制限した場合、当該動画コンテンツの最初の静止画像を前記動画再生部に表示させることが好ましい。この場合には、再生が制限されている動画コンテンツの最初の静止画像が表示部に表示されるので、当該動画コンテンツの内容をユーザに通知することができ、その再生を喚起させることが可能となる。
【００１０】
また、本発明の携帯電話機において、前記ブラウザ部は、前記入力部により特定される前記Ｗｅｂサイト上の位置が前記動画コンテンツの表示領域上に配置されることで前記動画再生部により前記動画コンテンツを再生させた後、前記入力部により特定される前記Ｗｅｂサイト上の位置が前記動画コンテンツの表示領域外に移動した場合でも当該動画コンテンツの再生を継続させることが好ましい。この場合には、動画コンテンツの再生後は、入力部により特定されるＷｅｂサイト上の位置が動画コンテンツの表示領域外に移動した場合でもその再生を継続させることができるので、ユーザが再生を意図した動画コンテンツを連続的に再生することが可能となる。
【００１２】
さらに、本発明の携帯電話機において、前記ブラウザ部は、再生が停止された前記動画コンテンツの表示領域が前記表示部に表示される前記Ｗｅｂサイト上に表示された場合に前記動画コンテンツの再生を再開させることが好ましい。この場合には、再生が停止された動画コンテンツの表示領域が再び出現した場合には、その再生を再開させることができるので、Ｗｅｂサイトにおけるユーザの閲覧位置に関わらず、動画コンテンツを連続的に再生することが可能となる。
【００１３】
特に、本発明の携帯電話機において、前記ブラウザ部は、再生が停止された位置から前記動画コンテンツの再生を再開させることが好ましい。この場合には、再生が停止された位置から動画コンテンツの再生が再開されるので、ユーザは、当該動画コンテンツを連続的に視聴することが可能となる。
【００１４】
さらに、本発明の携帯電話機において、前記ブラウザ部は、前記入力部により特定される前記Ｗｅｂサイト上の位置が、複数の前記動画コンテンツの表示領域間を移動した場合、前記動画再生部により再生させる前記動画コンテンツを切り替えることが好ましい。この場合には、入力部により特定されるＷｅｂサイト上の位置が、複数の動画コンテンツの表示領域間の移動に応じて、再生させる動画コンテンツを切り替えることができるので、複数の動画コンテンツが表示される場合においても、ユーザの意図を反映してＰＣ向けＷｅｂサイトに含まれる動画コンテンツを再生することが可能となる。なお、複数の動画コンテンツが含まれる場合においても、再生される動画コンテンツを常に１つ以下にすることができるので、装置の動作を不安定にさせることはない。
【００１５】
本発明の動画再生制御方法は、パーソナルコンピュータ向けに作成されたＷｅｂサイトを閲覧可能な携帯電話機を用いた動画再生制御方法であって、前記Ｗｅｂサイトにおける前記動画コンテンツの表示領域を判定するステップと、入力部により特定される前記Ｗｅｂサイト上の位置を検出するステップと、前記Ｗｅｂサイト上の位置が前記動画コンテンツの表示領域上に配置されるか判定するステップと、前記Ｗｅｂサイト上の位置に応じて前記動画コンテンツの再生を制御するステップとを具備し、前記入力部により特定される前記Ｗｅｂサイト上の位置が前記動画コンテンツの表示領域上に配置される場合に前記動画コンテンツを再生させる一方、前記入力部により特定される前記Ｗｅｂサイト上の位置が前記動画コンテンツの表示領域外に配置される場合に前記動画コンテンツの再生を制限し、前記動画コンテンツを再生した後、前記動画コンテンツの表示領域が表示部に表示される前記Ｗｅｂサイト上に表示されなくなった場合に当該動画コンテンツの再生を停止させることを特徴とする。
【００１６】
この方法によれば、入力部を介してユーザの意図を反映して動画コンテンツの再生が制御されることから、ユーザの意図に無関係に動画コンテンツが再生する事態を防止できるので、装置の動作を不安定にさせることなく、ＰＣ向けＷｅｂサイトに含まれる動画コンテンツを再生することが可能となる。特に、入力部により特定されるＷｅｂサイト上の位置が動画コンテンツの表示領域上に配置されるか否かに基づいて動画コンテンツの再生を制御することが可能となる。また、入力部により特定されるＷｅｂサイト上の位置が動画コンテンツの表示領域上に配置されるか否かに基づいて動画コンテンツの再生を再開し、或いは、その再生を制限することができるので、入力部を介したユーザの意図に応じて動画コンテンツの再生を制御することが可能となる。
【発明の効果】
【００１８】
本発明によれば、入力部を介してユーザの意図を反映して動画コンテンツの再生が制御されることから、ユーザの意図に無関係に動画コンテンツが再生する事態を防止できるので、装置の動作を不安定にさせることなく、ＰＣ向けＷｅｂサイトに含まれる動画コンテンツを再生することが可能となる。
【発明を実施するための最良の形態】
【００１９】
以下、本発明の実施の形態について添付図面を参照して詳細に説明する。なお、以下においては、本発明を具現化した移動体端末装置としての携帯電話機について説明するが、本発明は、これに限定されるものではなく、パーソナルコンピュータ向けに作成されたＷｅｂサイトを閲覧可能な移動体端末装置の動画再生制御方法としても成立するものである。
【００２０】
図１は、本発明の一実施の形態に係る移動体端末装置が適用される移動通信ネットワークシステムの概略構成を示す図である。図１に示す移動通信ネットワークシステムは、本発明に係る移動体端末装置としての携帯電話機１と、この携帯電話機１と移動通信網であるコアネットワーク２を介して接続された移動通信センター３と、移動通信センター３とインターネット４のようなネットワークを介して接続されたＷｅｂサーバ５とから主に構成される。
【００２１】
携帯電話機１は、オペレーティングシステム（移動機ＯＳ）を有しており、移動機ＯＳ上でブラウザ機能、ビューワ機能及びその他の機能が動作可能に構成されている。特に、携帯電話機１は、パーソナルコンピュータ（以下、「ＰＣ」という）向けに作成されたＷｅｂサイト（以下、「ＰＣ向けＷｅｂサイト」という）を閲覧可能とするブラウザ機能を備え、例えば、Ｗｅｂサーバ５から提供されるＰＣ向けＷｅｂサイトを閲覧可能に構成されている。
【００２２】
また、携帯電話機１は、詳細について後述するように、ＰＣ向けＷｅｂサイトに含まれる動画コンテンツを再生可能に構成されている。ここで、ＰＣ向けＷｅｂサイトに含まれる動画コンテンツとしては、代表的なものとして、Ｆｌａｓｈ（登録商標）コンテンツが挙げられる。この場合、携帯電話機１は、例えば、Ｆｌａｓｈ（登録商標）  Ｌｉｔｅ３．０を実装し、Ｆｌａｓｈ（登録商標）コンテンツを再生する。なお、携帯電話機１で再生可能な動画コンテンツとしては、これに限定されるものでなく、その他の動画コンテンツを再生することも可能である。
【００２３】
コアネットワーク２は、携帯電話機１と移動通信センター３との間のネットワークである。このコアネットワーク２には、通常の移動通信網に加えて移動パケット通信網も含まれる。移動通信センター３は、例えば、ｉモード（登録商標）サーバであり、コアネットワーク２とインターネット４とを結ぶゲートウェイ機能を担っており、具体的には、情報配信機能、メール送受信機能、メール蓄積機能、契約顧客管理機能、情報提供者（Information Provider）管理機能、及び情報料課金機能を有する。
【００２４】
ネットワークには、インターネット４をはじめその他のネットワーク、例えば、ＬＡＮやＷＡＮなども含まれる。Ｗｅｂサーバ５は、インターネット４に接続されたサーバであり、例えば、Ｆｌａｓｈ（登録商標）コンテンツなどの動画コンテンツを含むＰＣ向けＷｅｂサイトを携帯電話機１等に提供する。
【００２５】
図２は、本実施の形態に係る携帯電話機１の構成を示すブロック図である。なお、図２に示す携帯電話機１の構成については、本発明を説明するために簡略化したものであり、通常の携帯電話機１が有する機能（例えば、通話機能やメール通信機能など）を備えているものとする。
【００２６】
特に、本実施の形態に係る携帯電話機１に搭載されるメモリは、背景技術で説明したように、ＰＣ向けＷｅｂサイトに含まれる動画コンテンツの再生を制限する携帯電話機と同程度の容量を有している。本実施の形態に係る携帯電話機１は、このような容量のメモリを利用しつつ、再生対象となる動画コンテンツの再生タイミングを制御することで、動作を不安定にさせることなく当該動画コンテンツの再生を可能とするものである。例えば、このようなメモリの容量は、一般にＰＣ向けＷｅｂサイトに含まれ得る単一の動画コンテンツを通常の操作に支障なく再生可能な容量を確保すれば良い。
【００２７】
図２に示すように、携帯電話機１は、Ｗｅｂサーバ５から提供されるＰＣ向けＷｅｂサイトを閲覧するためのブラウザ１１と、ブラウザ１１でＰＣ向けＷｅｂサイトを閲覧する際に必要なデータを保存するバッファ１２と、ＰＣ向けＷｅｂサイトに含まれる動画コンテンツを再生する動画プレーヤ１３と、ブラウザ１１に対するユーザからの指示を受け付ける入力デバイス１４と、ブラウザ１１及び動画プレーヤ１３から指示された出力データを出力する出力デバイス１５とを含んで構成されている。
【００２８】
入力デバイス１４は、入力部として機能するものであり、例えば、カーソル位置を操作可能な十字キーや、表示画面上に現れるポインタの位置を操作可能なキーパッドなどで構成されるが、ユーザの操作により表示画面上における所望の位置又は領域の特定を受け付けることができればどのような構成であっても良い。以下においては、入力デバイス１４が表示画面上に現れるポインタの位置を操作可能なキーパッドで構成されるものとする。また、出力デバイス１５は、表示部として機能するものであり、例えば、ブラウザ１１から指示される画面データや動画プレーヤ１３から指示される動画データを表示する液晶ディスプレイなどで構成される。出力デバイス１５には、ＰＣ向けＷｅｂサイトの一部又は全部が表示される。以下においては、出力デバイス１５が液晶ディスプレイで構成されるものとする。
【００２９】
ブラウザ１１は、ブラウザ部として機能するものであり、Ｗｅｂサーバ５から移動通信センター３等を介してＰＣ向けＷｅｂサイトを表示するためのリソースデータを取得する取得部１１１と、取得部１１１で取得したリソースデータを解釈する解釈部１１２と、解釈部１１２が解釈したリソースデータの内容に基づいて液晶ディスプレイ上の画面表示を制御する画面表示制御部１１３と、入力デバイス１４により操作されるポインタの位置（ポインタ位置）を検出するポインタ位置検出部１１４と有している。なお、ポインタ位置検出部１１４は、位置検出部として機能するものである。
【００３０】
取得部１１１は、例えば、Ｗｅｂサーバ５からＨＴＭＬファイルや動画コンテンツなどをダウンロードし、これらのＨＴＭＬファイル等をバッファ１２に格納する。解釈部１１２は、バッファ１２に格納されたＨＴＭＬデータ等の内容を解釈し、ＰＣ向けＷｅｂサイトのレイアウトを解析して再びバッファ１２に格納する。ポインタ位置検出部１１４は、入力デバイス１４により操作されるポインタ位置を、例えば、出力デバイス１５の画面上における座標情報として検出する。例えば、液晶ディスプレイの画面上におけるポインタ位置が更新された場合にポインタ位置を検出する。
【００３１】
画面表示制御部１１３は、出力デバイス１５に表示されている画面に含まれる動画コンテンツ（以下、適宜「コンテンツ」という）の数や、当該画面におけるコンテンツの表示領域（以下、「コンテンツ表示領域」という）を判定するコンテンツ判定部１１３ａと、ポインタ位置検出部１１４で検出されたポインタ位置がコンテンツ表示領域上に配置されているか否かを判定するポインタ位置判定部１１３ｂとを有している。なお、コンテンツ判定部１１３ａは、表示領域判定部として機能するものであり、ポインタ位置判定部１１３ｂは、位置判定部として機能するものである。
【００３２】
画面表示制御部１１３は、バッファ１２に格納されたレイアウトが解析されたリソースデータのうち、当該ＰＣ向けＷｅｂサイトにおける現在の画面に対応する部分のリソースデータを出力デバイス１５に出力し、表示させる。また、画面表示制御部１１３は、ポインタ位置判定部１１３ｂの判定結果に応じて動画プレーヤ１３に対して、コンテンツの最初の静止画像（以下、適宜「初期画面」という）の表示、コンテンツの再生、或いは、再生しているコンテンツの再生の停止を指示する。
【００３３】
例えば、画面表示制御部１１３は、画面上にコンテンツが表示されているものの、ポインタ位置がそのコンテンツ表示領域に配置されていない場合にそのコンテンツの初期画面の表示を指示する。また、画面上にコンテンツが表示され、ポインタ位置がそのコンテンツ表示領域に配置されている場合にそのコンテンツの再生を指示する。さらに、再生されたコンテンツが画面上に表示されなくなった場合にコンテンツの停止を指示する。なお、画面表示制御部１１３からの動画プレーヤ１３に対する指示については後述する。
【００３４】
動画プレーヤ１３は、動画再生部として機能するものであり、バッファ１２に保存されるＰＣ向けＷｅｂサイトに含まれるコンテンツを読み出して再生し、その再生データを出力デバイス１５に出力する。また、動画プレーヤ１３は、画面表示制御部１１３からの指示に応じてコンテンツの初期画面の表示、コンテンツの再生、並びに、コンテンツの再生の停止を制御する動画制御部１３１を有している。動画制御部１３１は、出力デバイス１５の画面上におけるコンテンツ表示領域及びポインタ位置に基づいてコンテンツの表示態様を制御する。
【００３５】
次に、上記構成を有する携帯電話機１において、ＰＣ向けＷｅｂサイトに含まれるコンテンツを再生する場合の基本的な動作について説明する。図３は、本実施の形態に係る携帯電話機１において、ＰＣ向けＷｅｂサイトに含まれるコンテンツを再生する場合の基本的な動作について説明するためのシーケンス図である。なお、図３に示すシーケンスを実行する前段階で携帯電話機１のブラウザ１１は、ＰＣ向けＷｅｂサイトを閲覧するためのリソースデータを取得し、そのレイアウトを解析してバッファ１２に格納しているものとする。また、ここでは、ＰＣ向けＷｅｂサイトに１つのコンテンツが含まれ、現在の画面（出力デバイス１５に表示されるＰＣ向けＷｅｂサイトの一部又は全部）上に表示されているものとする。
【００３６】
なお、本実施の形態に係る携帯電話機１において、コンテンツ以外のＰＣ向けＷｅｂサイトのＨＴＭＬファイル等は、図３に示す処理とは別に、通常の手法に従ってＷｅｂサーバ５から取得され、出力デバイス１５に表示されるものとする。図３に示す処理は、例えば、このようなＨＴＭＬファイル等の表示と同時に、或いは、ＨＴＭＬファイル等の表示に後続して実行されるものである。
【００３７】
図３に示すように、ＰＣ向けＷｅｂサイトのレイアウトが解析され、バッファ１２に格納されると、画面表示制御部１１３（コンテンツ判定部１１３ａ）によりこのＰＣ向けＷｅｂサイトに含まれるコンテンツの表示領域が判定される（ステップ（以下、「ＳＴ」という）３０１）。ここでは、入力デバイス１４により操作されるポインタ位置は、コンテンツ表示領域上に配置されていないものとする。このため、画面表示制御部１１３（ポインタ位置判定部１１３ｂ）により、当該コンテンツの初期画面の表示指示が動画プレーヤ１３に送出される（ＳＴ３０２）。この表示指示を受け取ると、動画プレーヤ１３（動画制御部１３１）によりコンテンツの初期画面が出力デバイス１５に表示される（ＳＴ３０３）。
【００３８】
ここで、入力デバイス１４によりポインタが操作されたものとする。このようにポインタが操作されると、ポインタ位置検出部１１４によりポインタ位置の更新が検出される（ＳＴ３０４）。そして、その更新後のポインタ位置情報が画面表示制御部（ポインタ位置判定部１１３ｂ）に送出される（ＳＴ３０５）。
【００３９】
ポインタ位置情報を受け取ると、画面表示制御部１１３（ポインタ位置判定部１１３ｂ）によりポインタ位置がコンテンツ表示領域上に配置されているか判定される（ＳＴ３０６）。ここでは、ポインタ位置がコンテンツ表示領域上に配置されているものとする。このため、画面表示制御部１１３（ポインタ位置判定部１１３ｂ）により、当該コンテンツの再生指示が動画プレーヤ１３に送出される（ＳＴ３０７）。この再生指示を受け取ると、動画プレーヤ１３（動画制御部１３１）により出力デバイス１５でコンテンツが再生される（ＳＴ３０８）。
【００４０】
ここで、再び入力デバイス１４によりポインタが操作されたものとする。このようにポインタが操作されると、再び、ポインタ位置検出部１１４によりポインタ位置の更新が検出される（ＳＴ３０９）。そして、その更新後のポインタ位置情報が画面表示制御部（ポインタ位置判定部１１３ｂ）に送出される（ＳＴ３１０）。
【００４１】
ポインタ位置情報を受け取ると、画面表示制御部１１３（ポインタ位置判定部１１３ｂ）によりポインタ位置がコンテンツ表示領域上に配置されているか判定される（ＳＴ３１１）。ここでは、ポインタ位置の更新に伴って、画面上にコンテンツが表示されなくなったものとする。このため、画面表示制御部１１３（コンテンツ判定部１１３ａ）により、当該コンテンツの再生の停止指示が動画プレーヤ１３に送出される（ＳＴ３１２）。この停止指示を受け取ると、動画プレーヤ１３（動画制御部１３１）により出力デバイス１５で再生されていたコンテンツが停止される（ＳＴ３１３）。
【００４２】
このように本実施の形態に係る携帯電話機１においては、画面上にコンテンツが表示され、ポインタ位置がそのコンテンツ表示領域上に配置されている場合に動画プレーヤ１４でコンテンツが再生される。なお、画面上にコンテンツが表示されていても、ポインタ位置がそのコンテンツ表示領域上に配置されるまでは再生させず、動画プレーヤ１４で初期画面を表示させる。一方、コンテンツが再生されている場合に画面上に当該コンテンツが表示されなくなった場合には、その再生が停止される。従って、画面上にコンテンツが表示されると共に、ユーザによりそのコンテンツの再生が意図された場合（ポインタで選択された場合）に限って当該コンテンツを再生させることが可能となる。
【００４３】
次に、本実施の形態に係る携帯電話機１において、ＰＣ向けＷｅｂサイトに含まれるコンテンツを再生する際の詳細な動作について説明する。図４〜図６は、本実施の形態に係る携帯電話機１において、ＰＣ向けＷｅｂサイトに含まれるコンテンツを再生する際の詳細な動作について説明するためのフロー図である。なお、図４〜図６においては、図３に示すＳＴ３０１において、コンテンツ表示領域が判定された後の動作について示している。
【００４４】
ＰＣ向けＷｅｂサイトにおけるコンテンツ表示領域が判定された後、携帯電話機１においては、図４に示すように、現在表示されている画面（すなわち、出力デバイス１５に表示されるＰＣ向けＷｅｂサイトの一部又は全部）上にコンテンツが表示されるかを判定する（ＳＴ４０１）。ここで、画面上にコンテンツが表示されている場合には、複数のコンテンツが表示されるかを判定する（ＳＴ４０２）。一方、画面上にコンテンツが表示されない場合には、この判定処理を継続する。以下においては、画面上に１つのコンテンツ（コンテンツＸ）が表示される場合と、複数（ここでは、２つ）のコンテンツ（コンテンツＸ、Ｙ）が表示される場合とに分けて説明する。
【００４５】
まず、画面上に１つのコンテンツ（コンテンツＸ）が表示される場合について説明する。ここで、画面上に１つのコンテンツ（コンテンツＸ）が表示される場合のＰＣ向けＷｅｂサイト及び携帯電話機１の画面位置の具体例について示す。図７は、携帯電話機１の画面上に１つのコンテンツ（コンテンツＸ）が表示される場合のＰＣ向けＷｅｂサイトと携帯電話機１の画面位置との関係の一例を示す図である。図７に示すように、ＰＣ向けＷｅｂサイトＡは、その上方側部分にコンテンツＸ表示領域が配置されている。このコンテンツＸ表示領域の一部を含む位置に携帯電話機１の画面位置Ｓが配置された場合に携帯電話機１の画面上に１つのコンテンツＸが表示される。
【００４６】
図４に示すＳＴ４０２において画面上に１つのコンテンツが表示されると判定した場合、図５に示すように、画面表示制御部１１３は、ポインタ位置検出部１１４からのポインタ位置情報に応じて、ポインタ位置がコンテンツＸ表示領域上に配置されているかを判定する（ＳＴ５０１）。ここで、ポインタ位置がコンテンツＸ表示領域上に配置されている場合には、動画プレーヤ１３にコンテンツＸの再生を指示し、動画プレーヤ１３でコンテンツＸを再生する（ＳＴ５０２）。
【００４７】
一方、ポインタ位置がコンテンツＸ表示領域上に配置されていない場合には、動画プレーヤ１３にコンテンツＸの初期画面の表示を指示し、動画プレーヤ１３でコンテンツＸの初期画面を表示する（ＳＴ５０３）。そして、初期画面を表示した後、処理をＳＴ５０１に戻し、再びポインタ位置がコンテンツＸ表示領域上に配置されるかを判定する。
【００４８】
ＳＴ５０２において、コンテンツＸを再生した後は、画面表示制御部１１３は、画面上にコンテンツＸ（コンテンツＸ表示領域）が表示されているかを判定する（ＳＴ５０４）。コンテンツＸが表示されている場合には、処理をＳＴ５０２に戻し、その再生を継続する。一方、コンテンツＸが表示されていない場合には、その再生を一時停止し（ＳＴ５０５）、処理をＳＴ５０４に戻す。そして、ＳＴ５０４において、画面上にコンテンツＸが表示されたことを検出した場合には、その停止位置からコンテンツＸの再生を再開する。これは、画面上に表示されていないコンテンツの再生によるメモリ資源の使用を防止することを目的としたものである。
【００４９】
ここで、本実施の形態に係る携帯電話機１の画面上に１つのコンテンツＸが表示される場合におけるコンテンツＸの状態遷移について説明する。図８及び図９は、本実施の形態に係る携帯電話機１の画面上に１つのコンテンツＸが表示される場合におけるコンテンツＸの状態遷移について説明するための図である。なお、図８及び図９においては、コンテンツＸの再生状態を「Ｘ」を三角形で囲うことで表わし、コンテンツＸの再生の停止（一時停止）状態を「Ｘ」を四角形で囲うことで表わしている。
【００５０】
図８（ａ）、（ｂ）においては、ポインタ位置がコンテンツＸ表示領域外の位置から、コンテンツＸ表示領域上の位置に移動してコンテンツＸの再生が開始された場合について示している。また、図８（ｃ）、（ｄ）においては、コンテンツＸの再生後は、ポインタ位置に関わらず、画面上にコンテンツＸが表示されていればコンテンツＸの再生が継続される内容を示している。これらの状態遷移は、図４に示すＳＴ４０１、ＳＴ４０２、並びに、図５に示すＳＴ５０１、ＳＴ５０２、ＳＴ５０４及びＳＴ５０２の順に処理を進めることで実現される。
【００５１】
このように、本実施の形態に係る携帯電話機１においては、コンテンツＸの再生後は、画面上にコンテンツＸが表示されていれば、ポインタ位置に関わらずその再生を継続させるようにしたので、ユーザが再生を意図した動画コンテンツを連続的に再生することが可能となる。
【００５２】
一方、図９（ａ）、（ｂ）においては、図８（ａ）、（ｂ）と同様の処理を示している。図９（ｃ）、（ｄ）においては、コンテンツＸの再生後は、画面上にコンテンツＸが表示されていればコンテンツＸの再生が継続される一方、画面上からコンテンツＸが表示されなくなればコンテンツＸの再生が停止される内容を示している。さらに、図９（ｅ）においては、コンテンツＸの再生が停止された後、再び画面上にコンテンツＸが表示されればコンテンツＸの再生が再開される内容を示している。これらの状態遷移は、図４に示すＳＴ４０１、ＳＴ４０２、並びに、図５に示すＳＴ５０１、ＳＴ５０２、ＳＴ５０４、ＳＴ５０５、ＳＴ５０４及びＳＴ５０２の順に処理を進めることで実現される。
【００５３】
このように、本実施の形態に係る携帯電話機１においては、コンテンツＸの再生後、コンテンツＸが画面上に表示されなくなった場合にはその再生を停止するようにしたことから、コンテンツＸが画面上に表示されなくなった場合にまでコンテンツＸを再生して限られた装置のメモリ資源が使用される事態を防止することが可能となる。また、コンテンツＸが表示されるとその再生を再開するようにしたから、ＰＣ向けＷｅｂサイトにおけるユーザの閲覧位置に関わらず、コンテンツＸを連続的に再生することが可能となる。さらに、コンテンツＸの再生は、停止された位置から再生される。従って、ユーザは、コンテンツＸを連続的に視聴することが可能となる。
【００５４】
なお、図８（ａ）、図９（ａ）においては、ポインタ位置がコンテンツＸ表示領域外に配置された場合について示している。このため、コンテンツＸ表示領域においては、コンテンツＸの初期画面が表示されることとなる。この状態遷移は、図４に示すＳＴ４０１、ＳＴ４０２、並びに、図５に示すＳＴ５０１、ＳＴ５０３の順に処理を進めることで実現される。
【００５５】
このように、本実施の形態に係る携帯電話機１においては、ポインタ位置がコンテンツＸ表示領域に配置されるまではコンテンツＸが再生されないようにしていることから、ユーザの意図と無関係に携帯電話機１のメモリ資源を使用する事態を防止することが可能となる。また、動画コンテンツの初期画面を表示するようにしているので、当該動画コンテンツの内容をユーザに通知することができ、その再生を喚起させることが可能となる。
【００５６】
ところで、本実施の形態に係る携帯電話機１においては、図８（ｂ）、（ｃ）、図９（ｂ）、（ｃ）に示すように、ポインタ位置がコンテンツＸ表示領域の内部か外部かによりポインタの表示態様を変化させている。ここでは、コンテンツＸ表示領域の外部に配置される場合にポインタを白い矢印とし、内部に配置される場合に黒い矢印としている。このようにポインタの表示態様を変化させることにより、ユーザにおいて、ポインタ位置がコンテンツＸ表示領域上か否かを簡単に識別できるようにしている。
【００５７】
次に、複数（ここでは、２つ）のコンテンツ（コンテンツＸ、Ｙ）が表示されている場合について説明する。ここで、画面上に２つのコンテンツ（コンテンツＸ、Ｙ）が表示される場合のＰＣ向けＷｅｂサイト及び携帯電話機１の画面位置の具体例について示す。図１０は、携帯電話機１の画面上に２つのコンテンツ（コンテンツＸ、Ｙ）が表示される場合のＰＣ向けＷｅｂサイトと携帯電話機１の画面位置との関係の一例を示す図である。図１０に示すように、ＰＣ向けＷｅｂサイトＢは、その上方側部分にコンテンツＸ表示領域が配置され、その下方側であって左方側部分にコンテンツＹ表示領域が配置されている。これらのコンテンツＸ表示領域の一部と、コンテンツＹ表示領域の一部とを含む位置に携帯電話機１の画面位置Ｓが配置された場合に携帯電話機１の画面上に２つのコンテンツＸ、コンテンツＹが表示される。
【００５８】
図４に示すＳＴ４０２において画面上に複数（ここでは、２つ）のコンテンツ（コンテンツＸ、Ｙ）が表示されると判定した場合、画面表示制御部１１３は、ポインタ位置検出部１１４からのポインタ位置情報に応じて、ポインタ位置がコンテンツＸ表示領域上に配置されているかを判定する（ＳＴ４０３）。ここで、ポインタ位置がコンテンツＸ表示領域上に配置されている場合には、動画プレーヤ１３にコンテンツＸの再生及びコンテンツＹの初期画面の表示を指示し、動画プレーヤ１３でコンテンツＸを再生する一方、コンテンツＹの初期画面を表示する（ＳＴ４０４）。
【００５９】
一方、ポインタ位置がコンテンツＸ表示領域上に配置されていない場合には、ポインタ位置がコンテンツＹ表示領域上に配置されているかを判定する（ＳＴ４０５）。ここで、ポインタ位置がコンテンツＹ表示領域上に配置されている場合には、処理を図６に示すＳＴ６０１に移行する。なお、ＳＴ６０１以降の処理については後述する。一方、ポインタ位置がコンテンツＹ表示領域上に配置されていない場合には、動画プレーヤ１３にコンテンツＸ、Ｙの初期画面の表示を指示し、動画プレーヤ１３でコンテンツＸ、Ｙの初期画面を表示する（ＳＴ４０６）。
【００６０】
ＳＴ４０４において、コンテンツＸを再生した後は、画面表示制御部１１３は、画面上にコンテンツＸが表示されているかを判定する（ＳＴ４０７）。コンテンツＸが表示されている場合には、ポインタ位置がコンテンツＸ表示領域上に配置されているかを判定する（ＳＴ４０８）。ここで、ポインタ位置がコンテンツＸ表示領域上に配置されている場合には、処理をＳＴ４０４に戻し、その再生を継続する。一方、コンテンツＸ表示領域上に配置されていない場合には、ポインタ位置がコンテンツＹ表示領域上に配置されているかを判定する（ＳＴ４０９）。ここで、ポインタ位置がコンテンツＹ表示領域上に配置されていない場合には、処理をＳＴ４０４に戻し、コンテンツＸの再生を継続する。
【００６１】
一方、ポインタ位置がコンテンツＹ表示領域上に配置されている場合には、動画プレーヤ１３にコンテンツＹの再生及びコンテンツＸの初期画面の表示を指示し、動画プレーヤ１３でコンテンツＹを再生する一方、コンテンツＸの初期画面を表示する（ＳＴ４１０）。ＳＴ４１０において、コンテンツＹを再生した後は、画面表示制御部１１３は、処理を図６に示すＳＴ６０２に移行し、画面上におけるコンテンツＹの表示を判定する。
【００６２】
なお、ＳＴ４０７において、画面上にコンテンツＸが表示されていない場合には、ポインタ位置がコンテンツＹ表示領域上に配置されているかを判定する（ＳＴ４１１）。ここで、ポインタ位置がコンテンツＹ表示領域上に配置されている場合には、処理をＳＴ４１０に移行し、動画プレーヤ１３でコンテンツＹを再生する一方、コンテンツＸの初期画面を表示する。一方、ポインタ位置がコンテンツＹ表示領域上に配置されていない場合には、コンテンツＸの再生を一時停止し（ＳＴ４１２）、処理をＳＴ４０７に戻す。そして、ＳＴ４０７において、画面上にコンテンツＸが表示されたことを検出した場合には、ＳＴ４０８及びＳＴ４０９の判定を経て、その停止位置からコンテンツＸの再生を再開する。
【００６３】
また、ＳＴ４０５において、ポインタ位置がコンテンツＹ表示領域上に配置されている場合には、図６に示すように、動画プレーヤ１３にコンテンツＹの再生及びコンテンツＸの初期画面の表示を指示し、動画プレーヤ１３でコンテンツＹを再生する一方、コンテンツＸの初期画面を表示する（ＳＴ６０１）。
【００６４】
そして、コンテンツＹを再生した後は、画面表示制御部１１３は、画面上にコンテンツＹが表示されているかを判定する（ＳＴ６０２）。コンテンツＹが表示されている場合には、ポインタ位置がコンテンツＹ表示領域上に配置されているかを判定する（ＳＴ６０３）。ここで、ポインタ位置がコンテンツＹ表示領域上に配置されている場合には、処理をＳＴ６０１に戻し、その再生を継続する。一方、コンテンツＹ表示領域上に配置されていない場合には、ポインタ位置がコンテンツＸ表示領域上に配置されているかを判定する（ＳＴ６０４）。ここで、ポインタ位置がコンテンツＸ表示領域上に配置されていない場合には、処理をＳＴ６０１に戻し、コンテンツＹの再生を継続する。
【００６５】
一方、ポインタ位置がコンテンツＸ表示領域上に配置されている場合には、動画プレーヤ１３にコンテンツＸの再生及びコンテンツＹの初期画面の表示を指示し、動画プレーヤ１３でコンテンツＸを再生する一方、コンテンツＹの初期画面を表示する（ＳＴ６０５）。ＳＴ６０５において、コンテンツＸを再生した後は、画面表示制御部１１３は、処理を図４に示すＳＴ４０７に移行し、画面上におけるコンテンツＸの表示を判定する。
【００６６】
なお、ＳＴ６０２において、画面上にコンテンツＹが表示されていない場合には、ポインタ位置がコンテンツＸ表示領域上に配置されているかを判定する（ＳＴ６０６）。ここで、ポインタ位置がコンテンツＸ表示領域上に配置されている場合には、処理をＳＴ６０５に移行し、動画プレーヤ１３でコンテンツＸを再生する一方、コンテンツＹの初期画面を表示する。一方、ポインタ位置がコンテンツＹ表示領域上に配置されていない場合には、コンテンツＹの再生を一時停止し（ＳＴ６０７）、処理をＳＴ６０２に戻す。そして、ＳＴ６０２において、画面上にコンテンツＹが表示されたことを検出した場合には、ＳＴ６０３及びＳＴ６０４の判定を経て、その停止位置からコンテンツＹの再生を再開する。
【００６７】
ここで、本実施の形態に係る携帯電話機１の画面上に２つのコンテンツＸ、Ｙが表示された場合におけるコンテンツＸ、Ｙの状態遷移について説明する。図１１〜図１４は、本実施の形態に係る携帯電話機１の画面上に２つのコンテンツＸ、Ｙが表示された場合におけるコンテンツＸ、Ｙの状態遷移について説明するための図である。なお、図１１〜１４においては、図８及び図９と同様に、コンテンツＸ、Ｙの再生状態を「Ｘ」、「Ｙ」を三角形で囲うことで表わし、コンテンツＸ、Ｙの再生の停止（一時停止）状態を「Ｘ」、「Ｙ」を四角形で囲うことで表わしている。
【００６８】
図１１（ａ）、（ｂ）においては、ポインタ位置がコンテンツＸ表示領域、コンテンツＹ表示領域の外部の位置から、コンテンツＸ表示領域上の位置に移動してコンテンツＸの再生が開始されると共に、コンテンツＹの初期画面が表示されている場合について示している。また、図１１（ｃ）、（ｄ）においては、コンテンツＸの再生後は、ポインタ位置がコンテンツＹ表示領域上に移動しない限り、画面上にコンテンツＸが表示されていればコンテンツＸの再生が継続され、コンテンツＹの再生が行われない内容を示している。これらの状態遷移は、図４に示すＳＴ４０１〜ＳＴ４０４、ＳＴ４０７〜ＳＴ４０９、並びに、ＳＴ４０４の順に処理を進めることで実現される。
【００６９】
このように、本実施の形態に係る携帯電話機１においては、コンテンツＸの再生後は、画面上にコンテンツＸが表示されていればコンテンツＸの再生を継続させるようにしているので、ユーザが再生を意図したコンテンツＸを連続的に再生することが可能となる。また、ポインタ位置がコンテンツＹ表示領域上に移動しない限り、コンテンツＹの再生を行わないようにしていることから、コンテンツＸ、Ｙが同時に再生される事態を確実に防止することができるので、コンテンツの再生に伴うメモリの過度の使用を回避して装置の動作が不安定になる事態を防止することが可能となる。
【００７０】
図１２（ａ）、（ｂ）においては、図１１（ａ）、（ｂ）と同様の処理を示している。図１２（ｃ）においては、ポインタ位置がコンテンツＹ表示領域上に移動し、コンテンツＸの再生が停止される一方、コンテンツＹの再生が開始された内容について示している。また、図１２（ｄ）においては、コンテンツＹの再生後は、ポインタ位置がコンテンツＸ表示領域上に移動しない限り、画面上にコンテンツＹが表示されていればコンテンツＹの再生が継続され、コンテンツＸの再生が行わない内容を示している。これらの状態遷移は、図４に示すＳＴ４０１〜ＳＴ４０４、ＳＴ４０７〜ＳＴ４１０、並びに、図６に示すＳＴ６０２〜ＳＴ６０４、ＳＴ６０１の順に処理を進めることで実現される。
【００７１】
このように、本実施の形態に係る携帯電話機１においては、コンテンツＸの再生後、ポインタ位置がコンテンツＹ表示領域上に移動した場合には、コンテンツＸの再生を停止すると共に、コンテンツＹの再生を開始することから、コンテンツＸ、Ｙが同時に再生される事態を確実に防止することができるので、コンテンツの再生に伴うメモリの過度の使用を回避して装置の動作が不安定になる事態を防止することが可能となる。
【００７２】
図１３（ａ）、（ｂ）においては、図１１（ａ）、（ｂ）と同様の処理を示している。図１３（ｃ）においては、コンテンツＸの再生後は、ポインタ位置がコンテンツＹ表示領域上に移動しない限り、画面上にコンテンツＸが一部でも表示されていればコンテンツＸの再生が継続され、コンテンツＹの再生が行わない内容を示している。また、図１３（ｄ）においては、画面上からコンテンツＸが表示されなくなれば、コンテンツＹを初期画面のまま停止させた状態で、コンテンツＸの再生が停止される内容を示している。さらに、図１３（ｅ）においては、コンテンツＸの再生が停止された後、再び画面上にコンテンツＸが一部でも表示されればコンテンツＸの再生が再開される内容を示している。これらの状態遷移は、図４に示すＳＴ４０１〜ＳＴ４０４、ＳＴ４０７〜ＳＴ４０９及びＳＴ４０４、並びに、ＳＴ４０７、ＳＴ４１１、ＳＴ４１２、ＳＴ４０７〜ＳＴ４０９及びＳＴ４０４の順に処理を進めることで実現される。
【００７３】
このように、本実施の形態に係る携帯電話機１においては、コンテンツＸの再生後、コンテンツＸが画面上に表示されなくなった場合にはその再生を停止する一方、コンテンツＸが表示されるとその再生を再開するようにしたから、ＰＣ向けＷｅｂサイトにおけるユーザの閲覧位置に関わらず、コンテンツＸを連続的に再生することが可能となる。
【００７４】
図１４（ａ）〜（ｄ）においては、図１３（ａ）〜（ｄ）と同様の処理を示している。図１４（ｅ）においては、コンテンツＸの再生が停止された後、再び画面上にコンテンツＸが表示されることなく、ポインタ位置がコンテンツＹ表示領域に配置された場合にはコンテンツＹの再生が開始される内容を示している。なお、この場合、コンテンツＹの再生が開始されると共に、コンテンツＸ表示領域にコンテンツＸの初期画面が表示される。これらの状態遷移は、図４に示すＳＴ４０１〜ＳＴ４０４、ＳＴ４０７〜ＳＴ４０９及びＳＴ４０４、並びに、ＳＴ４０７、ＳＴ４１１及びＳＴ４１０の順に処理を進めることで実現される。
【００７５】
このように、本実施の形態に係る携帯電話機１においては、コンテンツＸの再生後、コンテンツＸが画面上に表示されなくなった後、ポインタ位置がコンテンツＹ表示領域に移動した場合には、コンテンツＸの初期画面を表示する一方、コンテンツＹの再生を開始するようにしたことから、ユーザによる再生の意図に応じたコンテンツを適切に再生することが可能となる。なお、このように画面上に複数のコンテンツが含まれる場合においても、再生されるコンテンツを常に１つ以下にすることができるので、装置の動作を不安定にさせることはない。
【００７６】
なお、図１１（ａ）、図１２（ａ）、図１３（ａ）及び図１４（ａ）においては、ポインタ位置がコンテンツＸ表示領域及びコンテンツＹ表示領域の外に配置された場合について示している。このため、コンテンツＸ表示領域にはコンテンツＸの初期画面が表示され、コンテンツＹ表示領域にはコンテンツＹの初期画面が表示されることとなる。この状態遷移は、図４に示すＳＴ４０１〜ＳＴ４０３、並びに、ＳＴ４０５及びＳＴ４０６の順に処理を進めることで実現される。このようにポインタ位置がコンテンツＸ表示領域又はコンテンツＹ表示領域に配置されるまではコンテンツＸＸ、ＹＹが再生されることはないので、ユーザの意図と無関係に携帯電話機１のメモリ資源を使用する事態が防止される。
【００７７】
このように本実施の形態に係る携帯電話機１においては、ブラウザ１１により、ＰＣ向けＷｅｂサイトにおける動画コンテンツの表示領域と、入力デバイス１４により特定されるＷｅｂサイト上の位置（ポインタ位置）とに応じて動画プレーヤ１３による動画コンテンツの再生を制御している。これにより、入力デバイス１４を介してユーザの意図を反映して動画コンテンツの再生が制御されることから、ユーザの意図に無関係に動画コンテンツが再生される事態を防止できるので、装置の動作を不安定にさせることなく、ＰＣ向けＷｅｂサイトに含まれる動画コンテンツを再生することが可能となる。
【００７８】
特に、本実施の形態に係る携帯電話機１において、ブラウザ１１は、入力デバイス１４により特定されるＷｅｂサイト上の位置（ポインタ位置）が動画コンテンツの表示領域上に配置される場合に当該動画コンテンツを再生させる一方、入力デバイス１４により特定されるＷｅｂサイト上の位置（ポインタ位置）が動画コンテンツの表示領域外に配置される場合に当該動画コンテンツの再生を制限する。これにより、入力デバイス１４により特定されるＷｅｂサイト上の位置（ポインタ位置）が動画コンテンツの表示領域上に配置されるか否かにに基づいて動画コンテンツの再生を再開し、或いは、その再生を制限することができるので、入力デバイス１４を介したユーザの意図に応じて動画コンテンツの再生を制御することが可能となる。
【００７９】
本発明は上記実施の形態に限定されず、種々変更して実施することが可能である。例えば、本発明の範囲を逸脱しない限りにおいて、処理部や処理手順については適宜変更して実施することが可能である。その他、本発明の範囲を逸脱しないで適宜変更して実施することが可能である。
【００８０】
例えば、上記実施の形態に係る携帯電話機１においては、画面上に１つのコンテンツＸが表示されると判定した場合（図４のＳＴ４０２）、ポインタ位置がコンテンツＸ表示領域上に配置されているかを判定する（図５のＳＴ５０１）場合について示している。しかしながら、ユーザの利用性を高めることを目的として適宜変更することが可能である。例えば、画面上に１つのコンテンツＸが表示されると判定した場合には、ポインタ位置に関わらずコンテンツＸを再生するようにしても良い。このように変更した場合においても、コンテンツが２つ以上同時に再生されることはないので、装置の動作を不安定にさせることはない。従って、装置の動作を不安定にさせることなく、ＰＣ向けＷｅｂサイトに含まれる動画コンテンツを再生することが可能となる。
【図面の簡単な説明】
【００８１】
【図１】本発明の一実施の形態に係る移動体端末装置が適用される移動通信ネットワークシステムの概略構成を示す図である。
【図２】上記実施の形態に係る携帯電話機の構成を示すブロック図である。
【図３】上記実施の形態に係る携帯電話機において、ＰＣ向けＷｅｂサイトに含まれるコンテンツを再生する場合の基本的な動作について説明するためのシーケンス図である。
【図４】上記実施の形態に係る携帯電話機において、ＰＣ向けＷｅｂサイトに含まれるコンテンツを再生する際の詳細な動作について説明するためのフロー図である。
【図５】上記実施の形態に係る携帯電話機において、ＰＣ向けＷｅｂサイトに含まれるコンテンツを再生する際の詳細な動作について説明するためのフロー図である。
【図６】上記実施の形態に係る携帯電話機において、ＰＣ向けＷｅｂサイトに含まれるコンテンツを再生する際の詳細な動作について説明するためのフロー図である。
【図７】上記実施の形態に係る携帯電話機の画面上に１つのコンテンツが表示される場合のＰＣ向けＷｅｂサイトとその画面位置との関係の一例を示す図である。
【図８】上記実施の形態に係る携帯電話機の画面上に１つのコンテンツＸが表示された場合におけるその状態遷移について説明するための図である。
【図９】上記実施の形態に係る携帯電話機の画面上に１つのコンテンツＸが表示された場合におけるその状態遷移について説明するための図である。
【図１０】上記実施の形態に係る携帯電話機の画面上に２つのコンテンツが表示される場合のＰＣ向けＷｅｂサイトとその画面位置との関係の一例を示す図である。
【図１１】上記実施の形態に係る携帯電話機の画面上に２つのコンテンツＸ、Ｙが表示された場合におけるそれらの状態遷移について説明するための図である。
【図１２】上記実施の形態に係る携帯電話機の画面上に２つのコンテンツＸ、Ｙが表示された場合におけるそれらの状態遷移について説明するための図である。
【図１３】上記実施の形態に係る携帯電話機の画面上に２つのコンテンツＸ、Ｙが表示された場合におけるそれらの状態遷移について説明するための図である。
【図１４】上記実施の形態に係る携帯電話機の画面上に２つのコンテンツＸ、Ｙが表示された場合におけるそれらの状態遷移について説明するための図である。
【符号の説明】
【００８２】
１  携帯電話機
２  コアネットワーク
３  移動通信センター
４  インターネット
５  Ｗｅｂサーバ
１１  ブラウザ
１２  バッファ
１３  動画プレーヤ
１４  入力デバイス
１５  出力デバイス
１１１  取得部
１１２  解釈部
１１３  画面表示制御部
１１３ａ  コンテンツ判定部
１１３ｂ  ポインタ位置判定部
１１４  ポインタ位置検出部
１１１  取得部
１３１  動画制御部
【図１】
0004637207.tif 000002
【図２】
0004637207.tif 000003
【図３】
0004637207.tif 000004
【図４】
0004637207.tif 000005
【図５】
0004637207.tif 000006
【図６】
0004637207.tif 000007
【図７】
0004637207.tif 000008
【図８】
0004637207.tif 000009
【図９】
0004637207.tif 000010
【図１０】
0004637207.tif 000011
【図１１】
0004637207.tif 000012
【図１２】
0004637207.tif 000013
【図１３】
0004637207.tif 000014
【図１４】
0004637207.tif 000015